(57)【特許請求の範囲】
【請求項１】
手の甲を押さえて固定する固定部と、いずれか一方に指を挿入して上下に固定する二つの挿入部とからなり、指の挿入部が１つの空間からなるワイパーであって、固定部を挟んで挿入部が配置されており、異形断面形状を有する繊維径１〜１０μｍの繊維を含み、且つ流体絡合法により作製された不織布であるワイパー用シートからなることを特徴とするワイパー。
【請求項２】
手の固定部が面状に手の甲と接触することを特徴とする請求項１に記載のワイパー。
【請求項３】
指の挿入部及び手の固定部が、ワイパー用シートと周囲で接合されたシートの中央部を挟んだ少なくとも２個所の切断により形成されていることを特徴とする請求項１または２に記載のワイパー。
【請求項４】
指の挿入部及び手の固定部が、ワイパー用シートで挟まれていることを特徴とする請求項１〜３のいずれかに記載のワイパー。
【請求項５】
ワイパー用シートがレーヨン繊維を主体とする繊維シートからなることを特徴とする請求項１〜４のいずれかに記載のワイパー。
【請求項６】
流体絡合法により得た不織布が部分的に融着していることを特徴とする請求項１〜５のいずれかに記載のワイパー。
【請求項７】
請求項１〜６のいずれかに記載のワイパー用シートが電子共役系ポリマーで被覆されていることを特徴とする請求項１〜６のいずれかに記載のワイパー。
【発明の詳細な説明】
【０００１】
【発明の属する技術分野】
この出願発明は、ワイパー用シートが２つ以上の指の挿入部及びこのいずれの指の挿入部に指を挿入した際にも手を固定する固定部を有するワイパー、とくに、ワイパー用シートと周囲が接合されたシートから形成され、この接合されたシートが中央部を挟んで少なくとも２個所で切断されているワイパーに関するものであり、テーブル、机、タンス、キャビネット、椅子、応接セット、サイドボードなどの家具、テレビ、洗濯機、冷蔵庫、電子レンジ、照明器具などの電化製品、ピアノ、エレクトーンなどの楽器、ゴルフクラブ、スキー用品などのスポーツ用品、ハンドバッグ、カバン、トランクなどの袋類、塗装前の自動車、木工製品、樹脂製品、窓、鏡、額、ドア、床、仏壇、自動車内又は外、漆器などの清掃に適したワイパーに関する。
【０００２】
【従来の技術】
従来、ワイパーは、ワイパー用シートの片側に手を挿入するための部材を設けており、この部材に手を挿入することにより清掃している。しかし、このワイパーは、ワイパー用シート全体を使用することはできず、手を挿入する中央から先端部分のみが使用されるだけであり、とくに、細かい作業をする場合には、先端部分が使用されるため、ワイパー用シートの大部分を使用しない状態で廃棄していた。
【０００３】
【発明が解決しようとする課題】
この出願発明は上記の問題を解決するものであり、ワイパーの全面を利用することを目的とする。
【０００４】
【課題を解決するための手段】
この出願発明のワイパーは、手の甲を押さえて固定する固定部と、いずれか一方に指を挿入して上下に固定する二つの挿入部とからなり、指の挿入部が１つの空間からなるワイパーであって、固定部を挟んで挿入部が配置されており、異形断面形状を有する繊維径１〜１０μｍの繊維を含み、且つ流体絡合法により作製された不織布であるワイパー用シートからなることを特徴とするワイパーに関する。
【０００５】
【作用】
この出願発明のワイパーは、ワイパー用シートが２つ以上の指の挿入部及びこのいずれの指の挿入部に指を挿入した際にも手を固定する固定部を有することを特徴とするワイパーから形成されており、様々な方向から手を挿入することができるので、これによりワイパーの全面を無駄なく利用することができる。
【０００６】
【発明の実施の形態】
ワイパーの形状としては、楕円形、長円形、円形、長方形、正方形あるいは図６に示すようにこれらを複合した形のもの等が好ましいが、ワイパーの端部の全てを使用する上から長円形がとくに好ましく、被清掃物の端部まで清掃できる上では、方形がとくに好ましい。
【０００７】
指の挿入部２は、指がワイパー１をしっかり抑えることができればよいものであり、図１及び図５（ａ）に示すように、指全体を挿入できる１つの空間６からなるものであればよいが、１つの空間からなる場合には、指の挿入部２の中で指を移動させることにより任意の場所を利用して払拭することができるので、ワイパーを無駄なく使用でき好ましい。
【０００８】
手を固定する固定部４は、指の挿入部２に手を挿入した際に手の甲と接触して、手とワイパーとを固定できるものであればよいものであり、シート、テープ等が使用されるが、面状に手の甲と接触して手をワイパーに確実に固定できる幅１ｃｍ以上のものが好ましく、ワイパーの大きさにより異なるが、５〜１０ｃｍがとくに好ましい。
シート状の手の固定部４は、図３又は図４に示すように、親指の挿入部３を設けてワイパーと手をより固定できるようにしてもよい。手を固定すること、手を挿入することを考慮すると、伸縮性の材料を使用してもよい。
【０００９】
図１に示すように、予め、ワイパー用シートと、指挿入部及び手の固定部となるシートの周縁部を糸７等により接合して一体化し、その中央部を挟んで少なくとも２個所を切断したものは、指の挿入部２の中で指を自由に動かすことができるので、ワイパーの全面をより使用することができ、しかも、容易に作成できるのでとくに好ましい。
【００１０】
ワイパー用シート５と指の挿入部２及び手の固定部４となるシートとは、通常の接合手段により接合されるが、糸７による縫製あるいは熱融着等が好ましい。縫製は、糸として導電性のものを使用すると除電性に優れるので好適である。
【００１１】
なお、この指の挿入部及び手の固定部は、ワイパー用シートと接合した後にシートを切断して形成することもできるし、予め、図１のような指の挿入部用のシート、手の固定部用のシートをそれぞれ作製しておき、ワイパー用シートと接合してもよい。
【００１２】
指の挿入部２、手の固定部４は、１層あるいは多層構造のものから構成され、布帛、フィルム、紙などが使用され、布帛としては、不織布、織布、編布などが使用される。
なお、指の挿入部２及び手の固定部４がワイパー用シート５で挟まれていると、両面のワイパー用シートが使用できるため、より長時間使用できる。
【００１３】
図５に示すように、ワイパー用シート５は、強度的に優れる不織布などで補強するのが好ましい。
なお、ワイパー用シートと強度的に優れる不織布との間に、嵩高な不織布や綿の層を形成すると、クッション性に優れ、作業性に優れている。
【００１４】
以下、ワイパー用シートについて詳述する。
この出願発明のワイパー用シートに使用できる繊維としては、例えば、絹、羊毛、綿、麻などの天然繊維、レーヨン繊維などの再生繊維、アセテート繊維などの半合成繊維、ポリアミド繊維、ポリビニルアルコール繊維、アクリル繊維、ポリエステル繊維、ポリ塩化ビニリデン繊維、ポリ塩化ビニル系繊維、ポリウレタン繊維、ポリエチレン繊維、ポリプロピレン繊維、芳香族ポリアミド繊維などの合成繊維を使用できる。また、２成分以上の樹脂成分からなる芯鞘型、サイドバイサイド型などの複合繊維を使用しても良い。
なお、ワイパー用シートがレーヨン繊維を主体とする繊維シートからなると、吸水性に優れているため、台所など、水分の多い場所の使用に適している。
【００１５】
また、ワイパー用シートが機械的及び／又は化学的処理により、繊維径１〜１０μｍの細繊維に細繊維化可能な複合繊維（以下、「細繊維化繊維」という）から派生した細繊維や、メルトブロー法により形成した繊維径０．０１〜１０μｍの細繊維を含んでいると、被清掃物の清掃性、清掃した塵埃などの保持性に優れ、しかも被清掃物をより損傷しにくいので好適に使用できる。前者の細繊維化繊維から派生した細繊維は延伸されており、より強度的に優れているため、より好適に使用できる。
【００１６】
この細繊維化繊維としては、図７に示すように、一成分Ａ中に他成分Ｂを島状に配置した断面をもつ海島型繊維、図８に示すように、一成分Ａと他成分Ｂとを交互に層状に積層した断面をもつ多重バイメタル型繊維、或いは図９（ａ）（ｂ）に示すように、一成分Ａを繊維の中心から繊維表面に伸びる他成分Ｂで分割した断面をもつ菊花型繊維を例示できるが、これらの中でも、多重バイメタル型繊維又は菊花型繊維から派生する細繊維は、略台形形状や扇形状などの異形断面形状を有し、より清掃性に優れるため、好適に使用できる。この異形断面形状を有する繊維の場合、円形断面に換算した値を繊維径とする。
【００１７】
この細繊維化繊維を構成する樹脂成分は、２成分以上からなっていれば良く、２成分からなる場合の組み合わせとして、例えば、ポリアミド系樹脂とポリエステル系樹脂、ポリアミド系樹脂とポリオレフィン系樹脂、ポリエステル系樹脂とポリオレフィン系樹脂、ポリエステル系樹脂とポリアクリロニトリル系樹脂、ポリアミド系樹脂とポリアクリロニトリル系樹脂、ポリオレフィン系樹脂とポリアクリロニトリル系樹脂などがある。
【００１８】
このような細繊維化繊維から派生した細繊維はワイパー用シート中、５重量％以上含まれているのが好ましく、多い方がより清掃性に優れているので、５０重量％以上含まれていることがより好ましく、９０重量％以上含まれることが最も好ましい。
【００１９】
このような繊維を使用して、ワイパー用シートを形成する。この繊維シートとしては、例えば、不織布、織物、編物などがあるが、不織布は三次元的な空隙を有し、被清掃物から払拭した塵埃などを保持できる空隙を形成しやすいので、好適に使用できる。この不織布は、例えば、カード法、エアレイ法、スパンボンド法、メルトブロー法などの乾式法、湿式法などにより得た繊維ウェブを、水などの流体又はニードルなどの機械的外力で絡合させて形成できる。なお、前者の流体により絡合すると、より均一で強度的に優れ、しかも柔軟な不織布を得ることができるので、より好適である。
【００２０】
また、カード法により繊維ウェブを形成する場合には、繊維ウェブの長さ方向に対して、クロスレイヤーなどにより、繊維の配向方向を交差させた交差繊維ウェブを含ませると、繊維ウェブの幅方向の強度が向上し、方向性なく清掃できるので、より好ましい配向方向である。
【００２１】
なお、不織布の強度及び耐摩耗性を向上させるために、エマルジョン系、溶剤系、粉末系などのバインダーや、不織布構成繊維で融着しても良いが、清掃性を低下させないように、部分的に固定するのが好ましい。この部分的に固定する場合には、固定による強度、耐摩耗性を向上させるため、及び清掃性の低下を防ぐために、１個あたりの固定面積０．０１〜５ｍｍ2で、固定総面積が不織布全体の面積の５〜５０％であるのが好ましい。これらの中でも、不織布構成繊維をエンボスロールや超音波により部分的に融着する方法は、バインダーで固定した場合のように、ワイパーの使用中に脱落物が生じず、清掃性に優れているため、より好適な方法である。
【００２２】
なお、前述の多重バイメタル型繊維又は菊花型繊維の細繊維化繊維を含む繊維ウェブに、流体又はニードルなどの機械的外力を作用させると、細繊維の派生と同時に細繊維を絡合させることができるので、別に派生工程を採る必要のない、合理的な不織布の形成方法である。また、細繊維の絡合により緻密な構造となるので、より塵埃などの保持性に優れるという特長もある。
【００２３】
このようにして形成した繊維シートをそのままワイパー用シートとして使用しても良いが、この繊維シートを電子共役系ポリマーで被覆すると、清掃性ばかりでなく、除電性にも優れたワイパー用シートとすることができるので、静電気の問題となる箇所での使用に好適である。なお、電子共役系ポリマーで被覆した繊維から繊維シートを形成しても良いが、繊維シートを形成する際に、電子共役系ポリマーを損傷する可能性があるので、繊維シートを形成した後に電子共役系ポリマーで被覆するのが好ましい。これら繊維シートは多孔性であるため、繊維シートの略全体を電子共役系ポリマーで被覆することができる。この電子共役系ポリマーは繊維との密着性が良いので耐久性に優れ、また柔軟性にも優れているため、被清掃物を損傷することなく除電及び清掃できる。
【００２４】
この電子共役系ポリマーで被覆した繊維を含む繊維シートの表面抵抗は１×１０9Ω／□以下であるのが好ましい。表面抵抗が１×１０9Ω／□を越えると、除電性能が悪くなるためで、１×１０6Ω／□以下がより好ましく、１×１０4Ω／□以下が最も好ましい。
【００２５】
この電子共役系ポリマーによる被覆方法としては、例えば塩化鉄（ＩＩＩ）や塩化銅（ＩＩ）などの酸化剤を含む溶液を繊維シートに含浸した後、モノマーと接触させて重合させれば良い。なお、モノマーとの接触方法としては、モノマーが液体状態の場合、酸化剤の付着した繊維シートにモノマーを含浸、塗布、或いはスプレーすれば良く、モノマーが気体状態の場合、モノマーで充填した容器内に、酸化剤の付着した繊維シートを載置すれば良い。
この電子共役系ポリマーを構成するモノマーとしては、例えば、アセチレン、ベンゼン、アニリン、フェニルアセチレン、ピロール、フラン、チオフェン、インドール、及びこれらモノマーの誘導体などがある。これらの中でも、ピロールは導電性及び重合性に優れ、除電性及び耐久性にも優れているため、とくに好適に使用できる。
【００２６】
なお、この電子共役系ポリマーで繊維シート全体を被覆すれば、除電性に優れるが、部分的に繊維シートを被覆してもよい。
また、この電子共役系ポリマーで被覆する繊維シートとしては、より除電性に優れる繊維径１〜１０μｍの繊維を含むものが好ましく、また、異型断面を有する、除電性に優れる繊維が好ましいので、多重バイメタル型繊維又は菊花型繊維の細繊維化繊維から派生した細繊維を含むものが好適である。
【００２７】
この出願発明のワイパーは、テーブル、机、タンス、キャビネット、椅子、応接セット、サイドボードなどの家具、テレビ、洗濯機、冷蔵庫、電子レンジ、照明器具などの電化製品、ピアノ、エレクトーンなどの楽器、ゴルフクラブ、スキー用品などのスポーツ用品、ハンドバッグ、カバン、トランクなどの袋類、塗装前の自動車、木工製品、樹脂製品、窓、鏡、額、ドア、床、仏壇、自動車内又は外、漆器などの清掃に適している。
【００２８】
以下に、この出願発明の実施例を記載するが、以下の実施例に限定されるものではない。なお、表面抵抗はロレスタＡＰ ＭＣＰ−Ｔ４００（三菱油化（株）製）により測定した値である。
【００２９】
【実施例】
実施例１
図９（ａ）に示すような、ポリエステル成分（Ａ）を、繊維の中心から繊維表面に向かって放射状に伸びるポリアミド成分（Ｂ）で８区分に分割した、菊花型の断面形状を有する、繊度２デニール、繊維長３８mmの細繊維化繊維（ポリエステル成分からなる繊維径４．２μｍの細繊維、及びポリアミド成分からなる繊維径３．１μｍと繊維径６．１μｍの細繊維を派生可能）をカーディングした一方向性の繊維ウエブと、この一方向性の繊維ウエブと同じ繊維ウェブをクロスレイヤーにより交差させた交差繊維ウエブとを、重量比１：４で積層して積層繊維ウエブを得た。この積層繊維ウエブを径０.１５mm、ピッチ０.６mmのノズルプレートから、圧力９５kg/cm2で水を噴出して積層繊維ウエブを絡合し、目付８５g/m2、厚さ０.４mmの不織布を得た。次いで、この不織布に３０％濃度の塩化鉄（III）を含浸した後、ピロール溶液を蒸発させたピロールモノマーガスに接触させて重合させ、不織布表面全体をポリピロールで被覆し、表面抵抗２００Ω／□の導電性不織布を得た。
この長円状の導電性不織布に、ポリエステル繊維をアクリル酸エステルで結合した、目付６０ｇ／ｃｍ2、厚さ１０ｍｍの嵩高な不織布（不織布Ａ）、ポリエステル繊維とレーヨン繊維とからなる繊維ウェブを、アクリル酸エステルで結合した、目付９０ｇ／ｃｍ2、厚さ０．３ｍｍの不織布（不織布Ｂ）、ポリエステル繊維とレーヨン繊維とからなる繊維ウェブを、アクリル酸エステルで結合した、目付１００ｇ／ｃｍ2、厚さ０．４ｍｍの不織布（不織布Ｃ）を、この順序で積層してミシンにより縫製し、不織布Ｃの中央部から左右３．３ｃｍの２個所を短軸方向に切断することにより切れ込みをいれ、１つの手の固定部及び１つの空間からなる２つの指の挿入部とし、図１に示すような長軸が２０ｃｍ、短軸が１５ｃｍのワイパーを作製した。
このワイパーの不織布Ｂと不織布Ｃとの間に手を挿入し、ワイパーを手に固定した。このワイパーは、２個所から手を挿入できるので、全体を使用することができた。
【００３０】
実施例２
実施例１の導電性不織布を、折曲げて二重にし、周囲を縫製することにより、たて２０ｃｍ、よこ１５ｃｍの長方形の袋状物を作製した。この袋状物のたて方向に対してほぼ３等分するように切断し、１つの空間からなる２つの指の挿入部２及び１つの手の固定部４としたワイパーを作製した。
このワイパーの手の固定部及び指の挿入部に手を挿入し、ワイパーを手に固定した。このワイパーは、２個所から手を挿入できるので、全体を使用することができた。
【００３１】
実施例３
実施例１と全く同様にして得た不織布を、温度１８５℃、線圧６０kg/cmのエ ンボスロール（凸部面積０.２５mm2、エンボスロールにおける凸部の占める面積１６％）間を通して、部分的に融着し、目付８５g/m2、非融着部の厚さ０.４mm の融着不織布を得た。次いで、この融着不織布を実施例１と同様にして融着不織布表面全体をポリピロールで被覆し、表面抵抗２００Ω／□の導電性不織布を得た。
この長円状の導電性不織布に、実施例１と同じ不織布Ａ、不織布Ｂ，不織布Ｃを、この順序で積層した後、ミシンにより縫製し、さらに不織布Ｃの中央部から左右４ｃｍの２個所を短軸方向に切断することにより切れ込みをいれ、１つの手の固定部及び１つの空間からなる２つの指の挿入部とし、図１に示すような長軸２４ｃｍ、短軸１６ｃｍのワイパーを作製した。
このワイパーの不織布Ｂと不織布Ｃとの間に手を挿入し、ワイパーを手に固定した。このワイパーは、２個所から手を挿入できるので、全体を使用することができた。
【００３２】
実施例４
実施例１と同様にして形成した目付８５ｇ／ｍ2、厚さ０．４ｍｍの図６に示すような形を有する不織布に、実施例１と同じ不織布Ａ、不織布Ｂ，不織布Ｃを、この順序で積層してミシンにより縫製し、不織布Ｃの中央部から左右４ｃｍの２個所を短軸方向に切断することにより切れ込みをいれ、１つの手の固定部及び１つの空間からなる２つの指の挿入部とした長軸２４ｃｍ、短軸１６ｃｍのワイパーを作製した。
このワイパーの不織布Ｂと不織布Ｃとの間に手を挿入し、ワイパーを手に固定した。このワイパーは、２個所から手を挿入できるので、全体を使用することができた。
【００３３】
実施例５
レーヨン繊維（繊度１．５デニール、繊維長３８ｍｍ）８０重量％、ポリエステル繊維（繊度１．５デニール、繊維長３８ｍｍ）２０重量％とをカーディングした一方向性の繊維ウェブと、この一方向性の繊維ウェブと同じ繊維ウェブをクロスレイヤーにより交差させた交差繊維ウェブとを、重量比１：３で積層して積層繊維ウェブを得た。
この積層繊維ウェブを実施例１と同様の条件で絡合し、目付８５ｇ／ｃｍ2、厚さ０．５ｍｍの不織布を形成した。この不織布をワイパー用シートとした。
この図６に示すような形を有する不織布に、実施例１と同じ不織布Ａ、不織布Ｂ，不織布Ｃを、この順序で積層してミシンにより縫製し、不織布Ｃの中央部から左右４ｃｍの２個所を短軸方向に切断することにより切れ込みをいれ、１つの手の固定部及び１つの空間からなる２つの指の挿入部とした図６に示すような長軸２４ｃｍ、短軸１６ｃｍのワイパーを作製した。
このワイパーの不織布Ｂと不織布Ｃとの間に手を挿入し、ワイパーを手に固定した。このワイパーは、２個所から手を挿入できるので、全体を使用することができた。
【００３４】
実施例１及び実施例３の導電性不織布で、ポリイミドフィルムを夫々５往復払拭した後、このポリイミドフィルムの帯電圧を測定した。その結果、実施例１の導電性不織布は０．３ＫＶであり、実施例３の導電性不織布は０．５ＫＶであった。
なお、この帯電圧測定はＪＩＳ規格、Ｌ１０９２参考法に準拠の摩擦帯電圧試験装置（カネボウエンジニアリング株式会社製、ＥＳＴ−７）で行った。なお、この測定は温度２０℃、湿度５０％の条件下で行った。
【００３５】
【発明の効果】
この出願発明のワイパーは、ワイパー用シートが２つ以上の指の挿入部及びこのいずれの指の挿入部に指を挿入した際にも手を固定する固定部から形成されているので、様々な方向から手を挿入することができ、これによりワイパーの全面を無駄なく利用することができる。
【図面の簡単な説明】
【図１】  この出願発明のワイパーの平面図の一例
【図２】  ワイパーの平面図の参考例
【図３】  この出願発明のワイパーの平面図の他例
【図４】  ワイパーの平面図の参考例
【図５】  （ａ）    図１のワイパーのＸ−Ｘ’断面図
（ｂ）    図２のワイパーのＹ−Ｙ’断面図
【図６】  この出願発明のワイパーの平面図の他例
【図７】  この出願発明の細繊維化可能な複合繊維の断面形状の一例
【図８】  この出願発明の細繊維化可能な複合繊維の断面形状の他例
【図９】  （ａ）    この出願発明の細繊維化可能な複合繊維の断面形状の他例
（ｂ）    この出願発明の細繊維化可能な複合繊維の断面形状の他例
【図１】
0003666760.tif 000002
【図２】
0003666760.tif 000003
【図３】
0003666760.tif 000004
【図４】
0003666760.tif 000005
【図５】
0003666760.tif 000006
【図６】
0003666760.tif 000007
【図７】
0003666760.tif 000008
【図８】
0003666760.tif 000009
【図９】
0003666760.tif 000010